(57)【要約】【課題】  女性はハイヒールを履くためか、足の親指（母趾）が第２趾側に曲がり歩行する際には、靴に当って激痛が生じ歩行困難になる人か多くおられる。これは母趾が外側に曲がり中足骨頭が内側に突き出したように変形するためで、症状が深刻になると手術をして、変形した部分を矯正することになる。そのため対応策として、靴の中敷や中底に強固な保護基板を設けるとによって、痛みが生じることなく歩行ができ、更に外反母趾を予防できる靴の中敷を提供する。【解決手段】  靴の中敷において、中敷の裏面には前方部に強固な底基板を設け、更に、該底基板には母趾と第二趾間に挿入される強固な保護基板を立設し、該保護基板には軟質な素材が被覆されていることを特徴とした靴の中敷である。【選択図】  図２
0003125486.tif 000002
【実用新案登録請求の範囲】
【請求項１】
靴の中敷において、中敷の裏面の前方部に強固な底基板を設け、更に、該底基板には母趾と第二趾間に挿入される強固な保護基板を立設し、該保護基板には軟質な素材で被覆されていることを特徴とした靴の中敷。
【請求項２】
請求項１記載の靴の中敷において、土ふまずの部位と母趾の付け根部位に弾性を有する隆起部が形成されていることを特徴とした靴の中敷。
【請求項３】
請求項１又は２記載の靴の中敷において、保護基板の長さが母趾の付け根から先端まで接する長さであることを特徴とした靴の中敷。
【請求項４】
請求項１乃至３のいずれか１項に記載の靴の中敷において、底基盤の周縁や保護基盤の立設部周縁に小孔を設け、該小孔に糸を通して中敷と前記底基盤とを縫い付けることを特徴とした靴の中敷。
【請求項５】
靴の中底において、前方部に強固な底基板を設け、更に、該底基板には母趾と第二趾間に挿入される強固な保護基板を立設し、該保護基板には軟質な素材で被覆されていることを特徴とした靴の中底。
【請求項６】
請求項５記載の靴の中底において、土ふまずの部位と母趾の付け根部位に弾性を有する隆起部が形成されていることを特徴とした靴の中底。
【請求項７】
請求項５又は６記載の靴の中底において、保護基板の長さが母趾の付け根から先端まで接する長さであることを特徴とした靴の中底。
【考案の詳細な説明】
【技術分野】
【０００１】
本考案は、外反母趾の予防に役立つ靴の中敷と中底に関するものである。
【背景技術】
【０００２】
女性はハイヒールを履くためか、足の親指（母趾）が第２趾側に曲がり歩行する際には、靴に当って激痛が生じ歩行困難になる人か多くおられる。これは母趾が外側に曲がり中足骨頭が内側に突き出したように変形するためで、症状が深刻になると手術をして、変形した部分を矯正することになる。
そのための対応策として、次のような物が市販され、また出願もされている。
【特許文献１】実用新案登録番号  第３０４７７５６号
【非特許文献１】商品    小林製薬製のオドイーター（外反母趾対策品）
【考案の開示】
【考案が解決しようとする課題】
【０００３】
本考案は、上述の従来の靴の中敷や中底等に改善を加えることによって、痛みが生じることなく歩行ができ、更に、より効果的に外反母趾の予防ができる靴の中敷や中底を提供するものである。
【課題を解決するための手段】
【０００４】
本考案は、上記の問題を鑑みて次のような中敷を構成した。
靴の中敷の前方部裏面、即ち、指の付け根部又はその近傍部まで強固な底基板を設け、更に、該底基板には母趾と第二趾間に挿入される強固な保護基板を立設し、該保護基板には指が触れても痛みが生じないような軟質な素材で被覆されて成る中敷を提供する。
但し、保護基板長さは母趾の付け根から先端まで至る長さであることが好ましい。
【０００５】
前記の中敷として、更に、土ふまずの部位と母趾の付け根部位に弾性を有する隆起部を形成された中敷を使用するとより外反母趾の予防効果が増す。
【０００６】
尚、靴の中底の前方部、即ち、指の付け根部又はその近傍部に強固な底基板を設け、更に、該底基板には母趾と第二趾間に挿入される強固な保護基板を立設し、該保護基板には指が触れても痛みが生じないように軟質な素材を被覆されている靴の中底をも提供する。
【０００７】
更に、前記の靴の中底には、土ふまずの部位と母趾の付け根部位に弾性を有する隆起部を形成すると外反母趾の予防が増す。
【０００８】
底基板に保護基板を立設する手段には、底基板と保護基板とを一体形成する方法や、接着する方法、基板に溝を設け該溝に保護板を挿嵌させ固定さす方法等がある。
本考案品の特徴は、保護基板が揺れないように強固に固定さすことと、保護基板が母趾全長を接しさす長さにあり、これが作用、効果に最も重要なところである。
底基板と保護基板とを一体成形するには、樹脂製が適している。しかし、アルミニュムや銅板、鋼板等の金属を加工してもよい。
底基板の大きさは、図１のように５本の指部全面が接する大きさでもよいし、図３のように指の付けの根部近傍よりも広くしても良い。出来るだけ広い方が安定して好ましい。
【０００９】
尚、底基板の周縁や保護基盤の立設部周縁に複数個の小孔を設け、中敷と底基板とを該小孔に糸を通して縫い付けると、中敷と底基板とが剥離せず耐久性が図れて最適である。更に、保護基板の周辺にも小孔を設けて軟質な素材を縫い付けてもよい。
しかし、小孔を設けず、強力な接着剤で中敷と底基板及び保護基板と軟質な素材とを接着してもよい。
軟質な素材には、綿やスポンジ、ウレタン等の軟質材を布等で包囲し。母趾および第二趾の皮膚に傷が付かないような肌触りの良い素材がよい。
該考案の中敷を市販する際には、購入者は自分の足のサイズに合わせて該中敷をカットするので、底基板に小孔を設けるときには、外周端部よりも幾分内側に設けた方が、色んな足のサイズに使用できるのでよい。
【考案の効果】
【００１０】
本考案の最大の特徴とするところは、中敷の前方部、即ち、５本の足指が接する部、又、それよりも広に近傍部で足指等によって押圧される強固な底基板を取り付けるところにある。この底基板によって、次のような本考案特有の顕著な効果が生じる。
１．従来の軟質な中敷に、柱状体（挟入部材、本考案でいう保護基板）を立設するだけでは、歩行の際に、柱状体が微妙ではあるが左右の動き、又は、揺れ等が生じる。更に、柱状体自体が母趾で外側に押され微少ではあるが傾き等が生じる。
この微妙は動き揺れ傾き等が外反母趾の抑止作用を低減さすものと考えられ、この作用を防ぐには、強固な底基板と強固な保護基板とが必要と思料した。
２．  底基板の幅を５本の指全幅にして長さも指の付け根部近傍部まで長く広くすることによって、中敷の動きを抑える作用をしている。この底基板の作用が保護基板の動きを阻止する。
３．  更に、保護基板の長さが指の付け根から指先の先端に至るまであるので母趾全体を外側に曲がらないように保護するので外反母趾の予防に効果が増大する。
４．  また、土ふまずと母趾の付け根部位に弾性な隆起部を形成することによって歩行のショックを吸収し、特に母趾の付け根部位にかかる負担が軽減する作用をし、該底基板と保護基板との作用が相乗し全体として優れた効果が生じるものと思料する。
以上のように、本考案の中敷によって、母趾が外側に曲がろうとする動き阻止し、自然に矯正される作用、効果が生じるのである。
【００１１】
上記は中敷に底基板と保護基板の取り付け方を記述したが、本考案の中敷の技術思想を靴の中底に摘要したのが本考案の中底である。
本考案の中敷は一対製作すれば、他の靴にも利用できる利点があり、経済的である。
【考案を実施するための最良の形態】
【００１２】
本考案を実施するための最良の形態を実施例の図に基づき説明する。
図１、中敷（６）に装着する底基板、保護基板の斜視図で、図２は中敷に図１の基板を装着した図で、図２（ａ）は平面斜視図、  図２（ｂ）は底面斜視図、図２（ｃ）は断面図を示す。
底基板（１）と保護基板（２）とを樹脂で一体成形した。尚、底基板と保護基板の周辺には小孔（３）を複数個明け、該孔に糸（５）を通して中敷（６）や軟質な素材（４）を縫い付けた。尚の軟質な素材（４）としてスポンジ（４１）を布（４２）で覆い保護基板（２）に縫い付けた。
尚、中敷（６）は土ふまずの部と母趾の付け根部分に隆起部（７）が形成した。
中敷は自分の足幅よりもやや広目の物を使用すると良い。
【００１３】
図３は、底基板（１）の大きさを、保護基板（２）よりも長くした実施例を示す。
図４は、本考案の中敷を履いて状態を示す実施例である。
図５は、靴の中底（８）に底基板（１）と保護基板（２）及び該保護基板に軟質な素材（４）を取り付けた実施例である。
【図面の簡単な説明】
【００１４】
【図１】本考案の底基板および保護基板を示す一実施例の斜視図である。
【図２】本考案の底基板および保護基板を中敷に取り付けた実施例を示す斜視図である。
【図３】本考案の底基板および保護基板を示す他の実施例の斜視図である
【図４】本考案の中敷を履いた状態を示す平面拡大図である。
【図５】本考案の靴の中底を示す断面斜視図である。
【符号の説明】
【００１５】
１    底基板
２    保護基板
３    小孔
４    軟質な素材
４１  スポンジ
４２  布
５    糸
６    中敷
７    隆起部
８    中底
９    母趾
１０    第二趾
【図１】
0003125486.tif 000003
【図２】
0003125486.tif 000004
【図３】
0003125486.tif 000005
【図４】
0003125486.tif 000006
【図５】
0003125486.tif 000007